(57)【特許請求の範囲】
【請求項１】
少なくとも一つの繊維条片（25、106）を硬化性樹脂含浸ホースに形成することから成り、結果としてのライニングホース（20、108）の内側に箔ホース（26、107）が形成され、この箔ホース（26、107）上に繊維条片（25、106）が巻回される、管状ライニングホース（20、108）の製造方法において、繊維条片（25、106）による巻回操作が、少なくとも二つの巻回フィンガー（28）から成る巻回マンドレル（１）に対して行われ、これらの巻回フィンガー（28）が本質的に互いに平行に配列され、それらの間隔が、巻回マンドレル（１）の軸線（４）に対して径方向に個々にまたは一緒に調節でき、上記巻回マンドレル（１）の巻回周囲を変えるようにしたことを特徴とする管状ライニングホースの製造方法。
【請求項２】
ホースに形成された繊維条片（25、106）のまわりに外側箔ホース（117）が設けられることを特徴とする請求項１に記載の管状ライニングホースの製造方法。
【請求項３】
ホースに形成された繊維条片（25、106）に第２の箔条片（27）を螺旋状に巻回することにより繊維条片（25、106）に外側箔ホースを装着し、上記第２の箔条片（27）の組合わさった横縁部が重なり合うように配列されることを特徴とする請求項１または２に記載の管状ライニングホースの製造方法。
【請求項４】
外側箔ホース（117）が少なくとも一つの箔条片（14、18）から成り、箔条片（14、18）がホースの長手方向に箔条片ロール（15）から繰り出され、同時にホースに形成され、箔条片（14、18）の長手方向縁部が溶着または接着剤により相互に結合されることを特徴とする請求項１ないし２のいずれか一項に記載の管状ライニングホースの製造方法。
【請求項５】
繊維条片（25、106）及び箔条片（24）または複数の箔条片（24、27、114、118）の巻回操作が本質的に同時に行われることを特徴とする請求項１ないし４のいずれか一項に記載の管状ライニングホースの製造方法。
【請求項６】
第１及び第２の箔条片（24、27、114、118）の重なり合う横縁部が、溶着または接着剤により相互に密封的に結合されることを特徴とする請求項１ないし５のいずれか一項に記載の管状ライニングホースの製造方法。
【請求項７】
内側及び外側箔ホース（26、107、117）の縁部が、同じ方向に繰り出される接着剤テープ（123）によって相互に結合されることを特徴とする請求項１ないし６のいずれか一項に記載の管状ライニングホースの製造方法。
【請求項８】
繊維条片（25）または複数の繊維条片を箔ホース（26）のまわりに螺旋状に巻回してホース形状を作り、互いに対向した繊維条片（25）の横縁部が重なり合った状態で配列されることを特徴とする請求項１ないし７のいずれか一項に記載の管状ライニングホースの製造方法。
【請求項９】
得られる巻回方向が第１及び第２の箔条片（24、27）の巻回方向に対向するように繊維条片（25）または複数の繊維条片が巻回されることを特徴とする請求項８に記載の管状ライニングホースの製造方法。
【請求項１０】
少なくとも二つの繊維条片（25）が、互いに交差して巻回されることを特徴とする請求項８または９に記載の管状ライニングホースの製造方法。
【請求項１１】
繊維条片（106）はホース状の保護箔上に、それらの長手方向縁部（109）がホースの長手方向に向くようにして巻回され、上記繊維条片（106）が案内手段（113）により保護箔の周りに案内されて、ホースの形状が得られるようにし、そして繊維条片（106）または二つの繊維条片（106）の長手方向縁部（109）の継目（110）及び重なりが、重畳した繊維条片（106）で覆われることを特徴とする請求項１ないし７のいずれか一項に記載の管状ライニングホースの製造方法。
【請求項１２】
長手方向縁部（109）の継目（110）及び重なりを、互いに一様に変位される配列状態で周囲に配列するようにして、繊維条片（106）が互いに変位される状態で繰り出されることを特徴とする請求項11に記載の管状ライニングホースの製造方法。
【請求項１３】
繊維条片（25、106）がホースに形成される前に樹脂で含浸されることを特徴とする請求項１ないし12のいずれか一項に記載の管状ライニングホースの製造方法。
【請求項１４】
内側箔ホース（26、107）内に空気を吹き込み、繊維条片（25、106）を、内側箔ホース（26、107）の膨らんだ部分上に巻回することを特徴とする請求項１ないし13のいずれか一項に記載の管状ライニングホースの製造方法。
【請求項１５】
巻回済みのライニングホース（20、108）が取外し装置（21、112）により取外され、そして巻き取られることを特徴とする請求項１ないし14のいずれか一項に記載の管状ライニングホースの製造方法。
【請求項１６】
ガラス繊維ロービング織物、ガラス繊維織物及びガラス繊維メリヤス生地及びガラス繊維マット及びガラス繊維不織布が単独でまたは組み合わせて繊維条片（25、106）として用いられることを特徴とする請求項１ないし15のいずれか一項に記載の管状ライニングホースの製造方法。
【請求項１７】
ホースの外側に、内方向に向かって及び外方向に向かって十分に光反射性の層が設けられることを特徴とする請求項１ないし16のいずれか一項に記載の管状ライニングホースの製造方法。
【請求項１８】
細長い巻回マンドレル（１）及び少なくとも二つの受け手段（５、９、15）を有し、これらの受け手段（５、９、15）が、細長い巻回マンドレル（１）の軸線（４）に対して離間して配置され、上記軸線（４）のまわりで回転するようにされ、そして繊維条片ロール（６、10、18）を受けるのに用いられ、また上記繊維条片ロール（６、10、18）が、それらの長手方向軸線のまわりで回転するようにされ、そしてそれぞれ、巻回マンドレル（１）の軸線（４）のまわりで受け手段を回転運動させること及び繊維条片ロール（６、10、18）をそれら自体の軸線のまわりで同時に回転させることによって、繊維条片を巻回マンドレル（１）及び巻回マンドレル（１）の軸線（４）のまわりに巻回するようにしてそれぞれの受け手段（５、９、15）に支持され、さらに、本質的に上記巻回マンドレル（１）の軸線方向に巻回マンドレル（１）から巻回したライニングホース（20）を取外す取外し手段（21）を有する請求項１〜18のいずれか一項に記載の管状ライニングホースの製造方法を実施する装置において、巻回マンドレル（１）が少なくとも二つの巻回フィンガー（28）から成り、これらの巻回フィンガー（28）が本質的に互いに平行に配列されしかもそれらの距離が巻回マンドレル（１）の軸線（４）に対して径方向に個々にまたは一緒に調整され、上記巻回マンドレル（１）の巻回周囲を変えるようにされることを特徴とする装置。
【請求項１９】
巻回フィンガー（28）が、ホースの長手方向に前進運動させる手段例えばベルト駆動装置を備え、巻回フィンガー（28）から内側の箔ホース（26）を本質的に摩擦なしで取外しできるようにし、上記前進運動がホースの取外し速度と同期していることを特徴とする請求項18に記載の装置。
【請求項２０】
受け手段（５、９、15）がそれぞれ、繊維条片ロール（６、10、18）を回転可能に受ける角度調整可能な受け軸（７、12、17）を備え、角度調整可能な受け軸（７、12、17）の角度位置が繊維条片（24、25、27）の巻回リードに合わされることを特徴とする請求項18または19に記載の装置。
【請求項２１】
受け手段（５、９、15）がそれぞれ、フープ状のフレーム（８、11、16）を備え、このフープ状のフレーム（８、11、16）が巻回マンドレル（１）のまわりにのびるように配列され、そして巻回マンドレル（１）のまわりで回転できるように支持され、また繊維条片及び箔条片（24、25、27）の巻回リードが異なる場合に、巻回マンドレル（１）の軸線方向における巻回速度が繊維条片及び箔条片（24、25、27）の全てに対して本質的に同じとなるようにフープ状のフレーム（８、11、16）が駆動装置により種々の速度で駆動されることを特徴とする請求項18ないし20のいずれか一項に記載の装置。
【請求項２２】
巻回マンドレル（１）が吹込みノズル（２）を備え、この吹込みノズル（２）が巻回マンドレルの取外し端部に配置され、空気を箔ホース（26）内に吹込むことができることを特徴とする請求項18〜21のいずれか一項に記載の装置。
【請求項２３】
取外し装置（21）がライニングホース（20）をスキージーする取外しローラ（22）から成り、上記箔ホース（26）が、取外しローラ（22）と吹込みノズル（２）との間に位置した領域に空気が充填されることを特徴とする請求項18ないし22のいずれか一項に記載の装置。
【請求項２４】
箔ホース（26）を巻回する第１の箔条片ロール（24）の受け手段（５）が巻回マンドレル（１）のまわりに配置され、また繊維条片ロール（10）及び外側の箔ホースを巻回する第２の箔条片ロール（18）の受け手段（９、15）が本質的に吹込みノズル（２）及び箔ホース（26）の空気充填領域のまわりに配置されることを特徴とする請求項18ないし23のいずれか一項に記載の装置。
【請求項２５】
箔条片（24、27）の受け手段（５、15）の各々に、箔条片（24、27）の重なり横縁部を溶着または接着剤によりシールするシール手段が組み合わされることを特徴とする請求項18ないし23のいずれか一項に記載の装置。
【発明の詳細な説明】
本発明は、繊維条片を硬化性樹脂含浸ホースに形成することから成り、内側に保護箔を設けた、特に下水道補修作業に用いる管状ライニングホースの製造方法に関するものである。さらに本発明は、本発明による方法を実施する装置及びこの方法で製造された管状ライニングホースに関する。
ドイツ国特許公開第3922351号公報には、熱硬化工程中、加熱ジャケットを包囲する巻管に保護箔を装着したものが開示されており、巻管の場合には繊維条片部材の巻端及び重なり縁部は巻管の全長に螺旋状にのびている。このようなライニングホースは好ましくは、不良排水管に差し込まれ、損傷した排水管の内側に膨脹工程により接触される。ライニングホースの膨脹は空気または水により内圧を加えることにより行うことができる。この工程の間に、重なり部分は互いにずれる。ライニングホースを排水管内で膨脹させた時、樹脂で含浸されるライニングホースは硬化される。硬化の形式は使用した樹脂に関係し、UV硬化性及び熱硬化性樹脂が特に有効であることが証明された。
本発明の目的は、簡単な仕方で任意の長さのホースを製造できる上記型の管状ライニングホースの製造方法を提供することにある。
本発明によれば、上記の目的は、まず保護箔を形成する箔ホースを形成し、箔条片を巻きマンドレルに螺旋状に巻き、こうして形成した繊維条片を箔ホース上に巻回することによって達成される。本発明による方法によって提案されたように、任意の長さの箔ホースを製造できることにより、大掛りなリセット作業や非常に大きな経費なしに、必要ならその場でも、任意の寸法の排水管用のライニングホースを製造することができる。完璧を期するため、この点に関して、それぞれの実施例に無関係に、本方法によって製造されたライニングホースが排水管に接触されずに膨脹され硬化され得ることが参照され、この場合、ライニングホースは配管、例えば水道管、管路または排水管の代用品として用いられ得る。
本発明の好ましい実施例によれば、ライニングホースは磨耗したパイプの漏れ箇所から周囲に拡散していくのをできるだけ防ぐ外側箔ホースが設けられる。この目的で、ホースに形成された繊維条片に第２の箔条片を螺旋状に巻くことにより繊維条片に外側箔ホースが施され得、第２の箔条片の組合さった横縁部は好ましくは重なり合うように配列される。
ライニングホースは、繊維条片及び一つまたは複数の箔条片の巻回工程が本質的に同時に行われる場合には、特に比較的高速で製造できる。
本発明の有利な実施例によれば、第１または第２の箔条片の重なり横縁部は好ましくは溶着または接着剤により密封的に相互結合される。これにより樹脂の有害な成分は周囲にできるだけ拡散しないようにされる。
例えば下水部分への導入に関して洩れ止め及び丈夫さは、第１及び（または）第２の箔条片の重なり横縁部が好ましくは溶着または接着剤により密封的に相互結合される実施例の場合にはなお一層改善される。
内側及び（または）外側の箔ホースの縁部を相互に結合する特に簡単な可能性は、同じ方向に繰り出される接着テープである。接着テープは箔ホースの内側または外側に選択的に施され得る。この方法は、比較的複雑な溶着または接着剤供給手段が必要でないので、特に経済的であることが判った。
本発明の付加的な実施例によれば、繊維条片は、ホース形状が得られるように箔ホースのまわりに螺旋状に巻かれ得、互いに対向する繊維条片の横縁部は重ね合わせて配列される。こうして得られた巻回構造体は、ライニングホースの厚さを巻回リードによって決めることができるという利点がある。継ぎ目が別の継ぎ目の頂部に巻かれないようにするため、有利には、得られたリードが第１または第２の箔条片のリードに対向するように繊維条片を巻くことである。少なくとも二つの繊維条片を互いに交差させて巻くことにより有利な構造のホースを得ることができる。
付加的な好ましい実施例によれば、繊維条片の長手方向縁部が本質的にホースの長手方向に向くようにそれらの繊維条片をホース状保護箔上に巻くことができ、繊維条片は、ホース形状が得られるように保護箔のまわりに案内手段によって案内され、そして一つまたは二つの繊維条片の二つの長手方向縁部の継ぎ目及び（または）重なりは重畳した繊維条片によって覆われる。これにより、ホースの製造に使用する装置に関して比較的安価に任意の長さ及び壁厚のライニングホースを作ることができる。継ぎ目及び（または）重なりを重畳した繊維条片で覆うことにより、ライニングホースの安定性及び破裂強度を高めることができる。この点に関して、最外層の継ぎ目及び（または）重なりがもはや覆われない場合の実施例も本発明の範囲内であることが記載されるべきである。この方法は作業経費を軽減するだけでなく、ライニングホースを比較的高速で製造することもできるようになる。
特に強度の高いライニングホースを得るために、繊維条片は、長手方向縁部の継ぎ目及び（または）重なりが互いに一様に変位される配列形式で周囲に配列されるようにして繊維条片を相互に変位する状態で繰り出される。このようにして、常に継ぎ目及び（または）重なりの良好で安定した覆いが得られる。
本方法の付加的な好ましい実施例によれば、保護箔は内側箔ホース内に形成され、箔ホースは平坦であり、重畳した繊維条片は相互に横方向に変位し、案内手段により箔ホース上に結合して案内されて装着され、それにより、互いにステップ上に配列される一側の長手方向縁部は互いにステップ上に配列される他側の長手方向縁部と正確に嵌合して結合される。この方法により、特に場所を取らない装置を使用することができるようになる。箔ホースのまわりに繊維条片を実際に装着する工程は、この方法の場合、案内手段によって実施される。
本方法の別の変形例によれば、繊維条片はホースに形成する前に、樹脂で含浸され、この樹脂は好ましくはローラによって加えられる。今日まで、繊維条片をホース状に繰り出し、そしてそのホースを別個の工程で樹脂に含浸させるのが普通であった。本発明の提案によれば、樹脂含浸工程は本質的に簡単化され、前の段階で行われる。個々の繊維条片と比べて比較的厚いライニングホースの樹脂含浸は単一繊維条片を含浸する場合より一層困難かつ時間の浪費となる。さらに公知の技術では樹脂で完全に一様に含浸させることはできない。
内側箔ホース内に空気を吹き込んで箔ホースの膨らんだ部分に繊維条片を巻くようにするのが特に有利であると判った。これにより、ホースが巻回マンドレル上でうっかり絡み合ないようにすることができる。
さらに巻回済みのライニングホースは取外し手段によって取外され、巻き取られ得る。巻回マンドレルに沿ったそれぞれの巻回速度に従って、この取外し工程は、原理的には無限長いホースを連続して製造できるように行うことができる。これに関連して、取外し手段は直ちに巻回済みのライニングホースを移送して、損傷した排水管に適用できるようにすることもできる。
製造の理由から、繊維条片としてガラス繊維ロービング織物、ガラス繊維織物及び（または）ガラス繊維メリヤス生地及び(または)ガラス繊維マット及び（または）ガラス繊維不織布を単独でまたは組み合わせて用いるのが特に有用であることが判った。特に、ライニングホースに用いられる樹脂との関係で、これらの材料を組み合わせることにより非常に強い強度が得られる。
さらに、光硬化性樹脂に関して、ホースの外側に、内方向に向かって及び（または）外方向に向かって本質的に十分に光反射性の層を設けるのが有利である。外側の不透明層は、光硬化性樹脂が早まって硬化するのを防ぎ、これにより、ホースを比較的長期間にわたって貯蔵することができ、また製造場所や作業現場に複雑なカバー手段を設ける必要がなくなるという効果がもたらされる。内方向に向かって反射性の層は、このようにして達成され得る比較的強度の強い光を用いて樹脂の硬化時間を短くすることができる。
さらに、特許請求の範囲の請求項１〜18の一項による方法を実施する装置の第１の実施例について保護が請求される。
この装置は、細長い巻回マンドレル及び少なくとも二つの受け手段を有し、これらの受け手段は細長い巻回マンドレルの軸線に対して離間して配置され、上記軸線のまわりで回転するようにされ、そして繊維条片及び箔条片ロールを受けるのに用いられ、また受け手段は巻回マンドレルの軸線に対して互いに軸方向に変位するように配列され、上記繊維条片及び箔条片ロールはそれらの長手方向軸線のまわりで回転するようにされ、そしてそれぞれ巻回マンドレルの軸線のまわりで受け手段を回転運動させること及び繊維条片及び箔条片ロールをそれら自体の軸線のまわりで同時に回転させることによって、繊維条片及び箔条片をそれぞれ巻回マンドレル及び巻回マンドレルの軸線のまわりに巻回するようにしてそれぞれの受け手段で支持され、さらに、本装置は本質的に巻回マンドレルの軸線方向に巻回マンドレルから巻かれたライニングホースを取外す取外し手段を有する。
比較的場所を取らないこの構造の基づき、任意の長さ及び強度のライニングホースを製造することができる。さらに、この形式の装置は比較的高速で動作させることができ、その結果、有利な時間内に非常に長いホースを製作することもできる。
受け手段はそれぞれ、繊維条片及び箔条片ロールを回転可能に受ける角度調整可能な受け軸を備えるのが有利であり、繊維条片及び箔条片の巻回リードは本質的にそれぞれの受け軸の角度位置に関係する。この構造により条片の横縁部が適切に重畳されるという有利な効果が奏される。
また受け手段はそれぞれ、フープ状のフレームを備えるのが有利であり、このフープ状のフレームは巻回マンドレルのまわりにのびるように配列され、そして巻回マンドレルのまわりで回転できるように支持され、また繊維条片及び箔条片の巻回リードが異なる場合に、巻回マンドレルの軸線方向における巻き戻し速度が繊維条片及び箔条片の全てに対して同じとなるようにフープ状のフレームは駆動装置により種々の速度で駆動される。
別の有利な実施例によれば、巻回マンドレルには吹込みノズルが設けられ、この吹込みノズルは巻回マンドレルの取外し端部に配置され、空気を箔ホース内に吹込むことができる。巻回マンドレルからの箔ホースの取外しは本質的には吹込み空気によって容易にされる。さらに吹込み空気は箔ホースを放出する駆動力としても使用され得る。
別の好ましい実施例では、取外し装置はライニングホースをスキージーする取外しローラから成り、箔ホースは取外しローラと吹込みノズルとの間に位置した領域に空気が充填される。さらに、箔ホースを巻回する箔条片ロールの受け手段は巻回マンドレルのまわりに配置され、また外側の箔ホースを巻回する箔条片ロールの受け手段は本質的に吹込みノズル及び（または）内側の箔ホースの空気充填領域のまわりに配置され得る。繊維条片及び外側の箔ホースが空気クッション上に巻回されることにより、方法工程の順序は、増大して厚くなるホースが巻回マンドレル上で絡み合うことがないので大きく乱れることがない。
また有利には、箔条片の受け手段には各々、箔条片の重なり横縁部を好ましくは溶着または接着剤によりシールするシール手段が組み合わされる。
有利な実施例によれば、巻回マンドレルは少なくとも二つの巻回フィンガーから成ることができ、これらの巻回フィンガーは本質的に互いに平行に配列され、そして巻回マンドレルの軸線に対して径方向に個々にまたは組合さって調整され、巻回マンドレルの巻回周囲を変えるようにされる。この実施例によって、連続して可変の仕方で所望のそれぞれのホース直径を作ることができる。これに関して、各巻回フィンガーは好ましくは円筒状構造をもつ。
巻回フィンガーが巻回マンドレルの軸線のまわりで一緒に回転するように支持され及び（または）駆動される場合には、巻回動作は巻回マンドレルの回転運動によって実施され得る。これに関して、有利には巻回フィンガーは、それぞれの軸線のまわりで回転するように支持し及び（または）駆動するようにされる。
ホースが、個々の巻回層を相互に変位させることなしに比較的摩擦のない仕方で軸線方向に巻回マンドレルから引き外しできるようにするため、別の実施例の特徴によれば、巻回フィンガーにはホースの長手方向に前進運動させる手段例えばベルト駆動装置が設けられ、巻回フィンガーから内側の箔ホースを上記のように本質的に摩擦なしで取外しできるようにし、上記の前進運動はホースの取外し速度と同期する。
以下、特許請求の範囲の請求項１〜18の一項による方法を実施する装置の第２の実施例について保護が請求される。
この装置の特徴は、繊維条片及び箔条片ロールを回転可能に受ける少なくとも二つの受け手段がホース軸線に対して本質的に直角にのびる受け平面に配置され、受け手段を備えた多数の受け平面がホース軸線の軸線方向に相互に変位するように設けられ、また一つの受け平面の受け手段が少なくとも別の平面の受け手段に対してホース軸線のまわりで回転可能に変位できるように設けられ、こうしてホース軸線の方向に見た時、受け手段の本質的に星型の構成が形成されることにある。繊維条片を種々の平面に施すことにより、それぞれのホース層の全周囲を形成する本質的に任意の数の箔条片ロールを一つの平面に配置することができる。繊維条片が狭くなればなるほど、案内手段によって行なわなればならない案内操作は少なくなる。しかしながら、これに関して、継ぎ目及び（または）重なりの数を幾つにするのが最も有利であるかを注意深く考慮すべきである。この装置を用いると、ライニングホースの厚さは、受け平面の数及び繊維条片の厚さによって決められる。ほとんどの装置に関して巻回リード及び巻回速度がライニングホースの製造速度に強く影響する従来技術と違って、本発明による方法を実施する本装置及びその他の装置で製造されるライニングホースの製造速度は単に、受け手段から繊維条片及び箔条片をそれぞれ繰り出す速度に関係するだけである。
好ましい実施例によれば、各繊維条片には少なくとも一つの加圧ローラの形式の案内手段が組合され、この案内手段は繊維条片を内側の箔ホースと正確に嵌合接触させるために設けられる。各繊維条片に対して加圧ローラを設けることにより、仕上りライニングホースの幾何学的精度を高めることができる。
さらに、特許請求の範囲の請求項１〜18の一項による方法を実施する装置の第３の実施例について保護が請求される。
この装置は多数の受け装置を有し、これらの受け装置は、繊維条片及び箔条片ロールを回転可能に受けるために用いられ、そして互いに横方向に変位できるように前後に列を成して配置され、それにより少なくとも一つの繊維条片は他の繊維条片の頂部上に繰り出され、それらの長手方向縁部がステップ状に変位するようにされ、また好ましくは多数の加圧ローラの形状の案内手段が設けられ、これらの案内手段によって繊維条片は箔ホースの回りに案内される。この装置の構造は、受け手段が単に前後に配列されるだけで、箔ホースの全周囲のまわりには配置されないので、さらにコンパクトである。またこの装置においては、ライニングホースの製造速度は、個々の箔条片または繊維条片の繰り出し速度によって決められる。この装置の場合、案内手段は、最終分析において箔ホースに巻かれた繊維条片のステップ状の積層体を案内するために応動できるので、比較的重要であると考えられなければならない。
上記の装置の特殊な実施例によれば、一対のローラが設けられ、これらのローラは上側及び下側の箔条片を加圧するのに用いられ、そしてこれらのローラを介してホースは案内され、箔ホースの平らな幅は箔条片の幅より狭く、それで箔条片の横方向に突出した縁部は、上記一対のローラと組合さった結合手段によって、好ましくは溶着または接着剤で相互に結合され得る。溶着により二つの箔条片を縁部を互いに結合することによって、適切な寸法の内側及び（または）外側の箔ホースを非常に立派でしかも簡単な仕方で製造することができる。さらに、平坦な案内舌状部材が装置の好ましい実施例に従って設けられ得、この平坦な案内舌状部材の周囲長さは本質的に内側の箔条片の幅に相応し、それで上記箔条片は、案内手段、好ましくは加圧ローラの形状の案内手段によって平坦な案内舌状部材のまわりに案内され得、箔の縁部は本質的に正確に嵌合接触して互いに当接し、そして結合装置によって好ましくは溶着または接着剤で相互に結合され得る。この形式の案内舌状部材により、内側の箔ホースがふくらませられない場合でも正確に所望の形状及び寸法をもつライニングホースを製作できる。
有利であると判った別の実施例によれば、案内舌状部材にはホースの長手方向に前進運動させる手段が設けられ、それによりこの案内舌状部材から内側の箔ホースを本質的に摩擦なしに取外すことができ、上記前進運動はホースの取外し速度と本質的に同期している。
特に経済的に安価で簡単な結合方法を得るために、上記装置の付加的な実施例では、軸には結合手段として接着剤テープのロールが回転可能に取り付けられ、この接着剤テープは、互いに本質的に正確に嵌合接触して接着剤テープの粘着側に案内手段によって箔条片の組合さった縁部を押圧するように繰り出される。
さらに、特に下水道補修作業に使用するライニングホースについて保護が請求され、このライニングホースは特許請求の範囲の請求項１〜18の一項による方法に従って製造される。ライニングホースは、箔条片を螺旋状に巻回して形成した箔ホースと、この箔ホースに巻回した少なくとも一つの樹脂含浸繊維条片とから成り、箔条片の互いに対向した横縁部は重なり合うように配列され、また繊維条片の互いに組合される横縁部は重なり合うように配列される。この点に関して、再びそれぞれの実施例及び製造方法に無関係に、ライニングホースは、排水管に接触させずに膨脹され、硬化され得、この場合、ライニングホースは、配管、例えば水道管、管路または排水管の代りとして用いられ得る。
この形式のライニングホースは上記で述べた利点を有している。
好ましい実施例によれば、第２の箔条片で作られる箔ホースはホースに形成された繊維条片上に配置される。これに関して、有利には、内側及び（または）外側の箔条片のそれぞれの長手方向縁部は、好ましくは溶着または接着剤により密封的に相互に結合される。
好ましい実施例によれば、繊維条片は箔ホースのまわりに螺旋状に巻回され、ホース形状が得られる。さらに、繊維条片の巻回リードは第１及び（または）第２の箔条片の巻回リードと相対し得る。また少なくとも二つの繊維条片を交差して巻回することもできる。
付加的な好ましい実施例によれば、ライニングホースは多数の樹脂含浸繊維条片から成り、これらの樹脂含浸繊維条片は内側の箔ホース上に配置され、それらの長手方向縁部は本質的にホースの長手方向にのび、一つの繊維条片または二つの繊維条片の二つの長手方向縁部の継ぎ目及び（または）重なりは重畳した繊維条片によって覆われる。本発明によるライニングホースにおいて生じる形式の長手方向の継ぎ目及び（または）重なりは第一印象では当業者には巻回ライニングホースより安定してなく見える。しかしながら、継ぎ目及び（または）重なりの頂部に設けたそれぞれの繊維条片によって継ぎ目及び（または）重なりを覆うことにより、巻回ライニングホースの安定性に明確に匹敵する安定性が得られる。また有利には、繊維条片は、互いに変位するように配置され、長手方向の継ぎ目及び（または）重なりが全周にわたって互いに一様に変位する配置形式で配置されるようにしている。このようにして、継ぎ目及び（または）重なりがライニングホースの一つの領域に集中するのが避けられるので、安定性は再び増大されることになる。
繊維条片は、好ましくは、ガラス繊維ロービング織物、ガラス繊維織物及び（または）ガラス繊維メリヤス生地及び（または）ガラス繊維マット及び（または）ガラス繊維不織布の単独または組み合わせたものから成る。これらの材料は、ライニングホースに要求される強度をもっている。
ライニングホースの特に簡単な硬化は、繊維条片をUV硬化性樹脂で含浸することにより行うことができ、UV硬化性樹脂は好ましくは、ラジカル開始剤を添加してまたは添加せずに可視の無害なUV-A領域で硬化するようにされる。
別の実施例によれば、ホースの外側には、内方向に向かって及び（または）外方向に向かって本質的に十分に光反射性の層を設けるのが有利である。これにより、硬化に関してと共に製造及び処理中の遮光に関して及び貯蔵に関して上記した利点が得られる。光反射性層は好ましくは、アルミニウム層で形成され、このアルミニウム層は安くできしかも非常に良好な効率をもらす。これに関してアルミニウム箔を用いることが考えられ得る。好ましい実施例によれば、光反射性層は、蒸着によりアルミニウムを付着させた外側箔、好ましくはプラスチック箔によって形成される。またこの目的のため外側箔ホースを用いることができる。発明的な概念に関して、第２に、アルミニウムの蒸着が箔の外側に行われるか内側に行われるかは重要である。
別の実施例によれば、外側及び（または）内側の箔に補強層、例えば織物層を設けて、長いホースを製造しても箔が引き裂けないようにすることができる。
この点で、これに関して記載したライニングホースは通常初期製品であり、下水部分に例えば引き込みにより差し込み、そして硬化され得ることが参照されるべきである。
さらに、本方法の付加的な実施例について保護が別個に請求される。この方法は残りの請求項の一つに関連してまたは関連せずに別個の発明と見做される。この方法は、特に下水道補修作業に用いる管状のライニングホースを製造するのに用いられ、特に請求項１〜50の一項によれば、少なくとも一つの繊維条片を硬化性樹脂含浸ホースに形成する工程から成り、結果としてのライニングホースの内側には保護箔が設けられる。この方法は、繊維条片が保護箔を形成する安定化箔ホースから成る巻回マンドレルに巻回されることを特徴としている。このような安定化箔ホースによって、装置のコストは、箔ホース自体が巻回マンドレルを形成しているので、この方法によって本質的に低減できる。これに関して特に強調される実施例によれば、箔ホースは膨脹され、こうして膨脹された箔ホースに繊維条片が巻回される。この方法は、特に膨脹された巻回コアとして非巻回箔ホースが用いられ得る限り重要である。
これに関して有利には、膨脹された箔ホースは箔ホース内部に設けられるカウンターホルダーに本質的に偏心して案内される。これにより繊維条片はカウンターホルダーにより支持されたそれぞれの点に適切に当接するという効果が得られる。
有利には、箔ホースは少なくとも一つの箔条片で作られ、箔条片はロールからホースの長手方向に繰り出され、そして同時に管に形成され、一つまたは複数の箔条片の長手方向縁部は溶着または接着剤によって相互に結合される。これにより、一方では、溶着継ぎ目が通常のようにして形成でき、また他方では、製造幅を得るような寸法にリールカッターで箔条片を切断することによりホースの直径を簡単に変えることができるという効果がもたらされる。二つの箔条片を用いた場合には、それらを上下に重ねておき、縁部で相互に結合して箔ホースを形成することができる。
【図１】  本発明の方法を実施する装置を概略的に示す側面図である。
【図２】  本発明の方法を実施する装置の概略側面図である。
【図３】  第二実施例の装置を概略的に示す側面図である。
【図４】  図３の実施例を示す上面図である。
【図５】  巻回フィンガーの第一変形例により形成された巻回マンドレルを示す上面図である。
【図６】  部分断面図を含む巻回フィンガーの第二変形例を示す前面図である。
【図７】  図６の巻回フィンガーを示す上面図である。
【図８】  図７の巻回フィンガーを示す側面図である。
【図９】  図６の巻回フィンガーを断片的に示す線ＩＸ−ＩＸに沿った断面図である。
【図１０】本発明の方法を実施する装置の第三実施例を示す概略断面図である。
【図１１】図１０の線ＸＩ−ＸＩに沿った拡大側面図である。
【図１２】本発明の方法を実施する装置の第四実施例を概略的に示す斜視図である。
【図１３】図１２の線ＸＩＩＩ−ＸＩＩＩに沿った拡大断面図である。
【図１４】図１２の線ＸＩＶ−ＸＩＶに沿った拡大断面図である。
【図１５】本発明による巻回構造の追加実施例を概略的に示す図である。
【図１６】本発明の実施例による箔ホース巻回操作を概略的に示す図である。
【実施例】
以下、添附図面を参照して本発明の実施例を説明する。
図１は本発明の方法を実施する巻取装置の実施例を示す。この巻回装置は、実質的に円錐台形状の噴射ノズル２を一端に有する縦長のほぼ円筒形状の巻回マンドレル１を備える。噴射ノズル２には空気供給導管３が設けられ、導管３は巻回マンドレル１を貫いて延在延し、噴射ノズル２と離間して対面する側の端部にて図示しない圧縮空気供給ユニットに連通されている。
第一箔条片ロール６を受けるのに用いられる概略的に示す第一受取手段５は、上述の巻回マンドレル１の軸４を中心として回転されるよう、巻回マンドレル１から離間して設けられている。前述の第一受取手段５は角度調整可能な受取心棒７と輪状枠体８を備え（図２参照）、枠体８は巻回マンドレル１を中心として回転可能に構成されている。枠体８は巻回マンドレル１の軸４の周りを図示しない駆動ユニットにより回転される。この場合、受け心棒７は前述の巻回マンドレル１の軸４を中心として回転する。
噴射ノズル２付近には、繊維条片ロール６を受けるのに用いられる第二受け手段９が、上述の巻回マンドレル１の軸４を中心として回転されるよう設けられている。前述の第二受け手段９はリング状の枠体１１を備え、これが巻回マンドレル１を中心として回転可能な状態で構成され、また角度調整可能な受け心棒１２が枠体１１状に設けられており、心棒１２に繊維状のストリップロール１０が回転可能な状態で支持されている。
図２は基体１４上に設けられた駆動機構１３を概略的に示す。駆動機構１３は枠体の外周との摩擦係合により枠体１１を駆動する。
第三受け手段１５は、軸方向に見て巻回マンドレル１の噴射ノズル２の前方に設けられ、前述の第三受け手段は前述の巻回マンドレル１の軸４の周りを回転されるよう構成されている。第三受け手段１５もまたリング状の枠体１６を備え、枠体１６は巻回マンドレル１の軸４の周りを回転されるよう支えられており、また角度調整可能な受け心棒１７が装着され、この心棒１７上に第二箔条片ロール１８が回転可能な状態で支持されている。
第三受け手段１５は噴射ノズル２とガイドリング１９の間に設けられ、ガイドリング１９は巻回マンドレルの軸４の軸方向上に設けられている。ガイドリング１９の内径は、予め巻かれているライニングホース２０の外径にほぼ対応している。巻回マンドレル１から離れて対面している側のガイドリング１９の横に取外装置２１が設けられており、取外装置２１はライニングホース２０を圧搾する一対の取外ローラー２２ならびにライニングホース２０を巻き取るライニングホース２０を備え、取外ローラー２２により圧搾されたライニングホース２０をワインダー２３が巻き上げる。
以下、本発明による方法の変形例を図面に基づいて説明する。
第一箔条片２４が箔条片ロール６から取り出され、巻回マンドレル１に装着され、ここで箔条片は第一受け手段５の回転移動によって螺旋状に前述のマンドレル１に巻き上げられる。前進移動を行うため、取外装置２１および噴射ノズル２からの圧縮空気供給により、まず一定の長さの箔条片を供給せねばならない。重なっている箔条片２４の横縁どうしを相互接続するのが効果的である。好適な実施例によれば、この接続は箔の縁どうしを接着あるいは熔接して相互接続することにより達成される。明確に示すため、重なっている横縁どうしを相互接続する装置は図面より省略されている。箔条片ロール６の回転の中心となる受け心棒７は、角度調整可能な状態で枠体８上に設けられている。第一箔条片２４の横縁の所望のリードおよび重なり幅はこうして決定される。取外ローラー２２が箔ホース２６を圧搾することから、圧縮された空気が噴射ノズル２を介して箔ホース内にポンプ送入される。このため箔ホース２６が膨張する効果が得られ、その結果、より簡単に箔ホース２６を取り扱うことができ、またより簡単に巻回マンドレル１から外される。
噴射ノズル２の付近では、樹脂を注入された繊維条片２５が第二受け手段によって螺旋状に内側の箔ホース２６の上に巻かれる。この操作のあいだ、枠体１１が巻回マンドレル１の軸４の周りを回転し、繊維条片ロール１０が受け心棒１２を中心として巻き出される。とくに第１図に示すように、繊維条片２５は、リードが第一箔条片２４のリードと反対となるように巻かれる。このようにして漏れやすい点が形成される可能性はかなり低減される。また繊維条片２５は、得られたリードが第一箔条片２４のリードよりも小さくなるよう巻かれる。繊維条片２５のリードは実質的に所望の壁厚によって決定され、したがってライニングホース２０の強度によって決定される。方向Ａに一定速度で前進運動を行うため、図１の場合には、繊維条片２５が巻回マンドレル１の軸４を中心として、第一箔条片２４よりも速く巻かれる。このため、第二受け手段９の枠体１１は適切な方法で枠体８の速度に合わせた速度で回転する。この目的のため、受け手段５および９は別々あるいは共通の連結伝動機構を介して駆動できる。しかしながら、受け心棒７および１２の角度位置は無段階に調整できるので、この機構は継続的に作動する。図１に示すように、繊維条片２５が膨張した箔ホース２６の領域に巻かれれば、とくに効果的である。膨張した箔ホース２６は、いわば中心核として作用する。繊維条片２５には別の装備を用いて予め樹脂を注入しておくことができる。しかしながら、接圧が樹脂濃度を変化させるよう調整可能な塗布ローラーを備えた図示しない塗布ユニットを、第二受け手段９に連動させてもよい。これにより、加工に必要な繊維条片２５の量のみに樹脂が注入されるという利点が得られる。
続いて、第二箔条片２７が、巻かれた樹脂注入済み条片２５上に巻かれる。第二箔条片２７のリードの方向は、繊維条片２５のリードと反対になる。また第二箔条片２７のリードは繊維条片２５のリードより大きく、したがって第三受け手段１５は第二受け手段９よりも遅い速度で、第二受け手段９の回転方向とは反対の方向に回転する。この場合においても、重なっている箔条片２７の横縁は図示しない装置を介して以降の行程において相互接続される。すでに巻かれているライニングホース２０の外表面が、このときガイドリング１９を通過し、内側の箔ホース２６はまだ膨張された状態である。これにより、巻回マンドレル１の軸４を中心として、ガイドリング１９と巻回マンドレル１の間の実質的に支持されていない領域でライニングホース２０が巻かれるという効果が得られる。とくにこの方法によって、繊維条片２５と箔条片２４、２７各々の巻回操作が同時に行われるという利点が得られる。
続いて、仕上がったライニングホース２０が取外ローラー２２に挟まれて圧搾される。このように、将来的な加工を考慮して周知の方法によりライニングホース２０がワインダー２３に巻き取られる。また上述の方法で製造されたライニングホース２０を、補修すべき下水道に直接導入することも考えられる。
このようにして製造されたライニングホース２０は補修すべき下水道に導入され、続いて圧縮空気あるいは水圧によって最終的な形に整えられる。第二箔条片２７により形成された外側の箔ホースは、下水道の内壁に接することになる。続いて樹脂を注入された繊維条片は、使用される樹脂の条件にしたがって硬化される。これに関連してとくに知られている樹脂としては、ＵＶ光放射ラジエータがライニングホース２０内に導入される場合、ＵＶ硬化樹脂が挙げられる。とくに安定性が認められている繊維条片２５の素材は、織りガラス紡布である。ホースの外表面には、例えば蒸着法によって塗布されたアルミニウム層を有するプラスチック箔という形で、光反射層が追加塗布される。プラスチック箔も外側の箔ホースとして利用できる。
本発明の方法にしたがって形成されるライニングホース２０は、状況に応じて所望の厚さおよび長さを有するよう形成でき、続いて遅滞なく加工できる。とくに巻回操作に際しては、厳しい作業を行って準備せねばならない内側の箔ホースの予備製造は、本発明の方法が利用された場合に実施することができる。
本発明と関連して、箔条片６および１８ならびに繊維条片ロール１０を巻回マンドレル１の軸を中心として回転させる代わりに、巻回マンドレルと箔ホースを各々回転させることが考えられ、またこれによって受け手段５、９、１５を静止すればよいと考えられることを補足しておく。この方法の場合に、もし互いに反対方向を向けられた巻回リードが望ましければ、個々の条片２４、２５、２７を、適切な方法で巻回マンドレル１と内側の箔ホース２６について各々リードを施さねばならない。図１に示す取り回しはこのような操作には適していない。
以下、本発明による方法を実施する装置の第二実施例について図３乃至図５に基づいて説明を行う。同一あるいは類似の部分には同一の参照番号を用いる。
この装置において、巻回マンドレル１は平行配置された二つの巻回指２８で構成されている。巻回フィンガー２８も巻回マンドレル１の軸４と平行に設けられ、前記軸４に対して半径方向にずらして構成されている。このようにすれば、巻回マンドレル１の有効な巻回周面を拡大することができるので、無段階に異なる直径のホースを形成することができる。巻回フィンガー２８は任意数だけ設けることができ、それぞれ巻回マンドレルの軸を中心として回転でき、ここで箔条片２４は箔条片ロール６から巻き取られ、巻回マンドレル１に巻きつけられる。こうして巻きつけられた箔ホース２６は、次に方向Ａに放出される。しかしながら、前記巻回マンドレル１を静止させた状態で、巻回マンドレル１の軸４を中心として個々の受け手段５、９、１５を回転させることもできる。必要に応じて、巻回フィンガー２８を各々自身の軸を中心として回転させたり、各自の軸を中心として駆動されるよう構成することもできる。すでに第一実施例から周知のように、箔条片ロール６を、巻回マンドレルの軸に対する角度が調整できるよう構成することもできる。この点を明確に示すため、箔条片ロール６のみを図示し、外側の条片ロールを図示していないことを補足しておく。箔条片２４は圧力ローラー２９により把持され、巻回フィンガー２８の一方に押しつけられる。これにより、箔条片２４がしっかりと堅く案内され、引き込まれるという効果が得られる。続いて繊維条片２５および第二箔条片２７が内側の箔ホース２６に螺旋状に巻きつけられる。
以下、巻回フィンガー２８の第二変形例について図６乃至図９を参照して説明する。これらの図に示された実質的に平らな巻回フィンガー２８は、巻回フィンガー２８の一方の側面に共通の受け装置３０上に設けられている。受け装置３０は図示しない適切な支持手段に保持される。二つの巻回フィンガー２８は実質的に互いに平行に配向され、かつスクリューとして図示した調整素子によって互いに調整されるよう構成されている。受け装置３０に取付けられた巻回フィンガー２８の端もまた、受け装置内に置かれている。これらの巻回フィンガー２８に特有の特性として、これらが前進運動を生じる手段を構成することがある。本変形例によれば、前記巻回フィンガー２８内に一体形成され、実質的に密封状態で巻回フィンガー２８に連動されるベルト３３が取り付けられた巻回フィンガー２８のプーリ３２によって、上述の前進運動が生じる。巻回フィンガー２８のプーリ３２は一方の側面で巻回フィンガー２８の側壁内の開口３４を介して接触可能であるため、これらの固定および調整ボルト３５を解除および調整できる。利用されているベルト３３はＶ字ベルトであるのが好ましい。次にプーリ３２に適切な構造設計が与えられる。このベルトは別個の駆動手段を介して、とくに受け装置３０の駆動速度と同期して作動する駆動手段を介して駆動することができ、あるいは滑らかなベルト駆動走行により実質的に摩擦を生じることなく取り外しできる。巻回フィンガー２８のベルト駆動による送り速度が取外速度Ａに対応している場合、実質的に摩擦を生じることなく、したがって皺を生じることなく、箔ホース２６が巻回フィンガー２８から取り外される。しかしながら、滑らかに走行するベルト構成であっても、巻回フィンガー２８からの箔ホースの取り外しに関して実質的な利点は得られる。調整素子３１によって得られる調整可能性に基づいて、巻回フィンガー２８の寸法によって決定される限界範囲内であらゆるホース直径を形成することができる。
以下、図１０および図１１に基づいて、本発明による方法を実施する装置の第三実施例を詳細に説明する。
図１０および図１１に示す装置は複数の受け手段１０１を備え、これらは概略的に示され、かつ各々が繊維条片ロール１０３を回転可能な状態で受け入れる受け心棒１０２を備える。受け手段１０１の各々は、ホース軸１０４と実質的に直角に伸びる受け平面１０５内に設けられる。図１０は、ホース軸１０４に関して互いに相対的に回転可能な状態でずれたように構成された二つの受け平面１０５を示し、したがって、図１１をホース軸１０４の方向から見ると受け手段１０１の星型の構成が形成される。
また、一つあるいは複数の受け平面１０５の受け手段１０１がホース軸１０４から異なる距離間隔をおいて配置される。繊維条片ロール１０３から巻き取られる繊維条片１０６は箔ホース１０７まで引き出される。この装置の場合、箔ホース１０７は圧縮空気あるいは水によって円筒形になるまで膨張される。
繊維条片１０６には樹脂が注入されるが、樹脂としてはＵＶ硬化できるものが望ましい。繊維条片１０３はすでに樹脂が注入済みであってもよく、そうでなければ巻き取られた繊維条片は特別な樹脂塗布装置を介して案内されるものとする。繊維条片１０６を星型構造の箔ホース１０７まで引き出す行程は図示しないガイド手段によって行われ、ガイド手段は圧力ローラーという形で設けられるのが好ましい。
図１１にてわかるように、二本の繊維条片１０６各々が、製造すべきライニングホース１０８の層の一つを形成している。ホース１０７上に設けられた場合、縫い目１１０が形成されるよう関連する縦縁１０９どうしは互いに距離をおいて配置される。しかしながら、繊維条片１０６の縦縁１０９を重なるように構成することも考えられる。これに続く層は上側の繊維条片１０６が完全に縫い目１１０あるいは下側の重なりを覆うように構成される。この一連の動作は、最後の層が取付けられるまで加工行程全体を通して続けられる。最後の層には選択的に補強条片が設けられる。また最後の層に補強手段をまったく設けなくてもよく、その場合においても考慮すべきような強度損失はない。
図１１において、縦縁１０９の縫い目あるいは重なり１１０が、互いにずらされて箔ホース１０７の周上に構成されるのは明らかである。
異なる層として繊維条片を供給する受け手段１０１は、一つの受け平面１０５内に構成できる。しかしながら、一つの層が二つより多い繊維条片１０６で構成されるよう、より細い繊維条片１０６を利用することもできる。
適切な数の層および適切な厚さの繊維条片１０６を用いることによりライニングホース１０８が所望の壁厚に達すると、図１０および図１１に図示しない外側の箔ホースを追加的にライニングホース１０８に適用することができる。
続いて、仕上がったライニングホース１０８が一対のローラー１１１を通過し、これらローラーがライニングホース１０８を把持するため、ライニングホースは取外装置１１２によって巻き取られるが、前記取外装置は巻回ドラムとして設けられるのが好ましい。
以下、本発明による方法を実施する装置の第四実施例を図１２および図１３に基づいて詳細に説明する。なお、この装置と前述した装置の相違についてのみ以下に記す。類似あるいは同一部分には同一の参照番号を付す。
本装置の場合、内側の箔ホース１０７は、平たい膨張されていない状態で装置に供給される。箔ホース１０７の下に、複数の受け手段１０１が一つおきに列をなして配置される。これら受け手段の受け心棒１０２は実質的に互いに平行となるよう配向される。しかしながら、受け手段１０１は互いに横へずらされているため、前述の受け心棒１０２に支持された繊維条片ロール１０３は、縦縁１０９が互いにずれるように巻き取られる。繊維条片１０６は互いが外側の条片の上に配置されるように案内される。これについては図１３がとくに明確に示している。段状態となった繊維条片１０６は、圧力ローラーとしてのガイド手段１１３の助けにより、平らな内側の箔ホース１０７の回りに巻かれる。この加工の途中で、繊維条片１０６の一側面側の段状の縦縁１０９は、繊維条片の外の側面側の段状の縦縁１０９と正確に適合して接触するよう配置される。これに関し、結果的に得られる縫い目および／あるいは重なり１１０は頂上の繊維条片１０６により覆われることは確実である。
続いて、箔ホース１０７と繊維条片１０６が一対のローラー１１１を介して案内され、ローラー１１１は上側と下側の箔条片１１４を同時にライニングホースに押しつける。上側と下側の箔条片１１４は各々箔条片ロール１１５から巻き取られる。図１４にてわかるように、平らなライニングホース１０８の幅は箔条片１１４より狭いほうが好ましく、箔条片の横に突出する縁１１６どうしは、前述した一対のローラーと連動する接続手段を用いて、好ましくは熔接あるいは接着剤によって相互接続される。なお、前述の接続手段は図示しない。
この時点におけるライニングホース１０８の完全な構造設計は図１４に明確に示されている。これに関して、縫い目１１０の段状の構成は、図１４で示されるものとは異なる場合があることのみ付記する。
続いて、ライニングホース１０８が取外装置１１２により巻き上げられる。
この点について、図１４における外側の箔ホース１１７が製造されるのと類似した方法によって、内側の箔ホース１０７も製造することができる。
図１５は図１２の装置に関して利用できる追加積層を示す。内側の箔ホース１０７を形成する際、ここでは内側の箔条片１１８が段状構成の繊維条片に付加されるため、内側の箔条片１１８と繊維条片１０６が湾曲されたときに、内側の箔ホース１０７が同時に形成される。
図１６はこのような内側の箔条片１１８が、ガイド手段を介して、箔条片ロール１１５からどのように巻き取られ、平らなガイド舌部１１９に巻かれるかを示す。ガイド手段は図示しないが、圧力ローラーであるのが望ましく、ガイド舌部１１９の周長は実質的には内側の箔条片の幅に対応し、したがって、ライニングホース１０８の所望の内周に対応するものである。箔の縁どうしは実質的に正確に適合するよう接触されて配置されるため、接続手段１２０によって相互接続される。接続は熔接あるいは接着剤によって行われる。第１６図において、接着テープのロールが回転可能に装着された心棒１２１が接続手段１２０として設けられている。接着テープ１２３が巻き取られ、接着面を上に向けてガイド舌部１１９に巻かれ、内側の箔条片１１８の連結された縁が、ガイド手段によって粘着テープ１２３の接着面に、実質的に正確にフィッティング接触するように巻かれる。このように、内側の箔ホース１０７が継続的に製造される。外側の箔ホースも類似の方法で製造される。
図示しない実施例の場合、ガイド舌部１１０にはホースの縦方向に前進運動を起こさせる手段を設けることができ、この前進運動は実質的にホース取外速度と同期する。巻回フィンガー２８（図６の至図９を参照）と関連してベルト駆動に使用されたものと類似した構造設計を適用できる。
内側の箔ホースに繊維条片が巻かれている最中に、同箔ホースが膨張された場合における本方法の別の変形例についてとくに参照する。箔ホースは、内部に構成された対向ホルダーの周りに偏心された状態で案内される。またこの方法により、単体のシステムにて任意のホース直径を製造できる。さらにこの方法では、巻かれていない箔ホースを含めて、あらゆる種類の箔ホースが利用できる。さらなる加工については、上述の実施例のいずれかにしたがって選択される。
本発明は、前述のホースの製造に用いられる装置に関する限り少ない経費で、適正な価格かつ比較的に高い製造速度のライニングホースの製造を可能とするものである。繊維条片は織りガラス紡布、ガラス繊維織布、および／またはガラス繊維編布および／またはガラス繊維マットおよび／または不紡ガラス繊維布の単体あるいは組み合わせであるのが好ましい。また繊維状箔条片は、基礎反応開始剤を追加するしないにかかわらず可視かつ無害のＵＶ−Ａ領域で硬化できるＵＶ硬化樹脂であれば好ましいが、これに限ることはない。これらの素材がライニングホースにとって優れた素材であることは証明されている。また外側のホースは、実質的に十分に光を反射する層が内側および／または外側に塗布されているものであればよい。
上述した方法にしたがって製造されたライニングホースは、例えば下水道の補修作業に際して、欠陥のある排水管内に導入され、膨張および硬化される。しかしながら、前述のホースを膨張および硬化させた状態で、水道管、配管あるいは排水管などの配管として直接設置することにより、前述のライニングホースを下水道管の代用品として使用することもできる。
【図１】
0003675476.tif 000002
【図２】
0003675476.tif 000003
【図３】
0003675476.tif 000004
【図４】
0003675476.tif 000005
【図５】
0003675476.tif 000006
【図６】
0003675476.tif 000007
【図７】
0003675476.tif 000008
【図８】
0003675476.tif 000009
【図９】
0003675476.tif 000010
【図１０】
0003675476.tif 000011
【図１１】
0003675476.tif 000012
【図１２】
0003675476.tif 000013
【図１３】
0003675476.tif 000014
【図１４】
0003675476.tif 000015
【図１５】
0003675476.tif 000016
【図１６】
0003675476.tif 000017